(57)【要約】【課題】  天板角度調整構造を有するベッドサイドテーブルを提供する。【解決手段】  本発明のベッドサイドテーブルは、支持脚１と天板２と２つの軸座３、２つの枢着座４と位置決め装置５とを含む。該支持脚１が直立の支柱１２を備え、該支柱１２の上方に支持具１３が横向きに設けられ、該支持具１３の両側の上方に第１接合部１３１、第２接合部１３２が設けられる。該天板２は、支持具１３の上方に設けられ、下方に間隔をあける第３接合部２１、第４接合部２２が設けられる。該２つの軸座３は、各々支持具１３の第１接合部１３１、第２接合部１３２の位置に構設され、軸座３の中央に軸穴３２が設けられ、頂縁に円弧形の当接面３３が設けられ、また上方の異なる角度位置に複数の位置決め穴３４が設けられる。【選択図】図２
2019195393.tif 000002
【特許請求の範囲】
【請求項１】
天板角度調整構造を有するベッドサイドテーブルであって、
直立の支柱と、
前記支柱の上方に支持具が横向きに設けられ、前記支持具の上方に間隔をあけて第１接合部及び第２接合部が設けられる支持脚と、
前記支持具の上方に設けられ、下方に間隔をあけて第３接合部及び第４接合部が設けられる天板と、
各々前記支持具の前記第１接合部及び前記第２接合部の位置に構設され、中央に前記支持具の長手方向に対応する軸穴が設けられ、頂縁に円弧形の当接面が設けられる２つの軸座であって、少なくとも１個の当該軸座の異なる角度位置に複数の位置決め穴が設けられる２つの軸座と、
各々前記天板下方の前記第３接合部及び前記第４接合部と接合され、また中央に前記軸座上方を載嵌できる嵌合溝が設けられ、前記嵌合溝は軸穴が設けられた２つの側壁を備える２つの枢着座であって、軸棒を前記枢着座及び前記軸座の前記軸穴に挿通することで、前記枢着座を前記軸座に対して枢動させることができ、かつ上方に前記軸座の前記当接面に当接できる円弧形の当り面が設けられ、前記枢着座の側壁の前記軸座の少なくとも１個の前記位置決め穴に対応する位置に挿通孔が設けられる２つの枢着座と、
位置決め座と位置決め棒と弾性部材とを備え、前記位置決め座が前記枢着座の側壁の外側に設けられ、また前記枢着座の挿通孔位置に収容溝が対応して設けられ、前記収容溝の両端に貫通孔を有し、前記位置決め棒が前記位置決め座の前記収容溝、前記枢着座の前記挿通孔及び前記軸座の前記位置決め穴に挿通でき、一端に位置決め端を有し、他端に前記収容溝の外側に突出する把持端を有する位置決め装置と、
前記位置決め棒の前記位置決め端を前記位置決め穴に挿入する時の作動弾性を提供でき、また前記位置決め棒の前記把持端を引っ張ることで前記位置決め端を前記位置決め穴から離脱させることができる弾性部材と、
を含むことを特徴とする、ベッドサイドテーブル。
【請求項２】
前記位置決め座の前記収容溝の一端にある前記貫通孔の内壁に押え縁が設けられ、前記位置決め棒の前記収容溝に対応する位置にストッパーが設けられ、
前記弾性部材は、引張りばねで、前記位置決め座の前記収容溝の位置に設けられ、中央スプリングコイルが前記位置決め棒を嵌め込み、両端部が各々前記位置決め座の前記押え縁及び前記位置決め棒のストッパーと当接することを特徴とする、請求項１に記載のベッドサイドテーブル。
【請求項３】
前記枢着座の側壁の外側に、接合孔を有する複数の突起が設けられ、
前記位置決め座の一側の前記枢着座の側壁の前記突起に対応する位置に複数の凹溝が設けられ、前記凹溝に接合孔が設けられると共に前記位置決め座が前記枢着座の側壁の外側に設けられ、
前記凹溝と前記突起が接合され、更に接合部材を前記凹溝と前記突起の前記接合孔に挿通して固結されることを特徴とする、請求項１に記載のベッドサイドテーブル。
【請求項４】
前記軸座の前記位置決め穴は、前方の直径が後端より大きい開口部を備え、
前記位置決め棒の前記位置決め端の前端の直径が後端より小さいことを特徴とする、請求項１に記載のベッドサイドテーブル。
【請求項５】
周壁を備えるカバーを更に含み、前記カバーの下方の前記支持脚の前記支持具に対応する位置に中空部が設けられ、前記カバーの上方が前記天板の前記第３接合部及び前記第４接合部の外側と構設し、また前記周壁の前記位置決め棒に対応する位置に前記位置決め棒を嵌め込むことができる切欠部が設けられることを特徴とする、請求項１に記載のベッドサイドテーブル。
【発明の詳細な説明】
【技術分野】
【０００１】
本発明は、天板角度調整構造を有するベッドサイドテーブルに関する。特に、天板の角度調整に便利で、かつ好適な位置決め性及び支持の安定性を持つテーブルに関する。
【背景技術】
【０００２】
従来の、ベッドサイドに置くことができるテーブルは、主に直立かつ移動可能な支持脚を備え、支持脚の上方に天板を横向きに設ける。また、患者又は身体不自由の方がベッド上で食事をとることができるように、天板をベッドの上方の位置に対応させる。
【０００３】
しかしながら、使用者がベッド上で読書しようとする時、該天板が水平であり、読書に適しない。
【０００４】
このため、現在では天板の角度を調整できるベッドサイドテーブルがある。
例えば、特許文献１の寝台用テーブルは、支持脚の伸縮管の上方に複数の位置決め穴が設けられ、該天板の下方に支持具が設けられ、該支持具の一端が逆凹型の支持具受けに接合して伸縮管の上方と枢着する。また、支持具受けの上に位置決め穴と接合できる位置決めピンが設けられ、天板を支持具受けによって伸縮管に対応して枢動させ、角度を調整してから位置決めピンと角度対応の位置決め穴を接合することによって位置決めを行うことができる。
【先行技術文献】
【特許文献】
【０００５】
【特許文献１】台湾特許公告第４４７２７２号
【発明の概要】
【発明が解決しようとする課題】
【０００６】
ところが、前記寝台用テーブルの前記天板は、僅かに支持具受けのみを枢着点として伸縮管と枢着するだけ、というしくみのため、支持の安定性が悪い。また、該位置決め穴が直接露出されるため、全体的な組立性が悪いという欠陥がある。
【０００７】
本発明は、前述の従来のベッドサイドテーブルが持つ、天板角度が調整できないまたは調整しにくい、支持の安定性ならびに組立性が悪いといった欠陥を解決し、簡単に天板の角度を調整でき、好適な位置決め性及び支持の安定性及び全体性を持つベッドサイドテーブルを提供することを目的とする。
【課題を解決するための手段】
【０００８】
本発明は、天板角度調整構造を有するベッドサイドテーブルであって、支持脚と天板と２つの軸座、２つの枢着座と位置決め装置とを含む。
該支持脚が直立支柱を備え、該支柱の上方に支持具が横向きに設けられ、該支持具の上方に間隔をあける第１接合部及び第２接合部が設けられる。
該天板は、支持具の上方に設けられ、下方に間隔をあける第３接合部及び第４接合部が設けられる。
該２つの軸座は、各々支持具の第１接合部及び第２接合部位置に構設され、中央に支持具の長手方向に対応する軸穴が設けられ、頂縁に円弧形当接面が設けられる。
また、少なくとも１個の軸座の異なる角度位置に複数の位置決め穴が設けられる。
該２つの枢着座は、各々天板下方の第３、４接合部と接合され、また中央に軸座上方を載嵌できる嵌合溝が設けられ、該嵌合溝が２つの側壁を備え、該２つの側壁に軸穴が設けられる。
また、軸棒を枢着座及び軸座の軸穴に挿通することで、枢着座を軸座に対して枢動させることができ、かつ上方に軸座の当接面に当接できる円弧形当り面が設けられる。
枢着座側壁の軸座の少なくとも１個の位置決め穴に対応する位置に挿通孔が設けられる。
該位置決め装置は、位置決め座と位置決め棒と弾性部材とを備え、該位置決め座が枢着座の側壁外側に設けられ、また枢着座の挿通孔位置に収容溝が対応して設けられる。
該収容溝の両端に貫通孔を有し、該位置決め棒が位置決め座の収容溝、枢着座の挿通孔及び軸座の位置決め穴に挿通でき、一端に位置決め端を有し、他端に収容溝の外側に突出する把持端を有する。
該弾性部材は、位置決め棒の位置決め端を位置決め穴に挿入する時の作動弾性を提供でき、また位置決め棒の把持端を引っ張ることで位置決め端を位置決め穴から離脱させることができる。
【０００９】
更に、該位置決め座の収容溝一端にある貫通孔の内壁に押え縁が設けられ、該位置決め棒の収容溝に対応する位置にストッパーが設けられる。
該弾性部材は、引張りばねで、位置決め座の収容溝位置に設けられ、中央スプリングコイルが位置決め棒を嵌め込み、両端部が各々位置決め座の押え縁及び位置決め棒のストッパーと当接する。
【発明の効果】
【００１０】
本発明の位置決め棒は、弾性部材の弾性力を介して位置決め端を位置決め穴に挿入させて天板の角度を固定できる。
また、位置決め棒を引っ張ることで位置決め端を位置決め穴から離脱させることができ、かつ同時に弾性体を圧縮し、２つの枢着座が軸棒で２つの軸座に対して回転させることができる。
さらに該２つの枢着座の当り面は２つの軸座の当接面と当接支持できるため、二重に支持の安定性の効果を奏する。
また、天板角度調整後、位置決め棒の把持端を手放した時、位置決め棒が弾性部材の弾性力を介して位置決め端を別の位置決め穴に挿入させて固定できるため、好適な天板角度調整の利便性の効果を奏する。
【図面の簡単な説明】
【００１１】
【図１】本発明の分解斜視図である。
【図２】本発明の組立斜視図である。
【図３】本発明の図２のＡ−Ａ線断面図である。
【図４】本発明の図２のＢ−Ｂ線断面図である。
【図５】本発明の位置決め棒を位置決め穴から離脱させた場合の部分断面図である。
【図６】本発明の天板角度調整を示す部分断面図である。
【発明を実施するための形態】
【００１２】
図１乃至図４を参照する。本発明は、支持脚１と天板２と２つの軸座３と２つの枢着座４と位置決め装置５とカバー６とを含む。
該支持脚１の下方に、床面に配置される基礎部１１を有し、該基礎部１１の上方に直立の支柱１２を有する。
支柱１２の上方に支持具１３が横向きに設けられ、該支持具１３の両端の上方に第１、２接合部１３１、１３２が設けられ、該第１、２接合部１３１、１３２に接合孔１３３、１３４を有する。
【００１３】
天板２は、支持具１３の上方に設けられ、下方に間隔をあける第３、４接合部２１、２２が設けられ、該第３、４接合部２１、２２に接合孔２１１、２２１を有する。
【００１４】
２つの軸座３は、各々支持具１３の第１、２接合部１３１、１３２の位置に設けられ、下方に支持具１３の上縁部を嵌め合うことができる嵌合溝３１を有し、また接合孔３１１が設けられて接合部材３５で支持具１３と固結する。
該軸座３の中央に支持具１３の長手方向に対応する軸穴３２が設けられ、頂縁に円弧形の当接面３３が設けられ、また上方の異なる角度位置に３個の位置決め穴３４が設けられ、該位置決め穴３４の前端に直径が後端より大きい開口部３４１を有する。
【００１５】
２つの枢着座４に接合孔４１が設けられ、接合部材４８で各々天板２の下方にある第３、４接合部２１、２２の接合孔２１１、２２１と接合する。
また中央に軸座３上方に載嵌できる嵌合溝４２が設けられる。該嵌合溝４２は２つの側壁４３を備え、該２つの側壁４３に軸穴４３１が設けられ、軸棒４４を枢着座４及び軸座３の軸穴４３１、３２に挿通して枢着座４を軸座３に対して枢動させることができる。また上方に軸座３の当接面３３と当接できる弧形当り面４５が設けられる。
側壁４３の軸座３の位置決め穴３４に対応する位置に挿通孔４６が設けられ、側壁４３の外側に複数の突起４７が設けられ、該突起４７に接合孔４７１を有する。
【００１６】
位置決め装置５は、位置決め座５１と位置決め棒５２と弾性部材５３とを備える。
該位置決め座５１の一側の枢着座４の側壁４３の突起４７に対応する位置に複数の凹溝５１１が設けられ、凹溝５１１に接合孔５１２が設けられると共に位置決め座５１が枢着座４の側壁４３の外側に設けられ、凹溝５１１と突起４７が接合される。
更に接合部材５１７が凹溝５１１と突起４７の接合孔５１２、４７１に挿通して固結され、また位置決め座５１の枢着座４の挿通孔４６に対応する位置に収容溝５１３が設けられる。
該収容溝５１３の両端に貫通孔５１４、５１５を有し、一端の貫通孔５１５の内壁に押え縁５１６が設けられる。
該位置決め棒５２は、位置決め座５１の収容溝５１３、枢着座４の挿通孔４６及び軸座３の位置決め穴３４に挿通される。一端に前端の直径が後端より小さく、位置決め穴３４に挿通できる位置決め端５２１を有し、他端に収容溝５１３外側に突出する把持端５２２を有し、該把持端５２２がレバー５２４に接合され、収容溝５１３に対応する位置にストッパー５２３が設けられる。
該弾性部材５３は、位置決め棒５２の位置決め端５２１が位置決め穴３４に挿入される時の作動弾性を提供できる。
また該弾性部材５３は引張りばねであり、位置決め座５１の収容溝５１３の位置に設けられ、中央スプリングコイルが位置決め棒５２を嵌め込むと共に両端部５３１、５３２が各々位置決め座５１の押え縁５１６及び位置決め棒５２のストッパー５２３と当接し、位置決め棒５２の作動弾性を提供できる。
【００１７】
カバー６は、周壁６１を備える。下方の支持脚１の支持具１３に対応する位置に中空部６２が設けられ、上方に接合孔６３を有し、接合部材６４で天板２の第３、４接合部２１、２２の外側と連結する。
また周壁６１の位置決め棒５２に対応する位置に位置決め棒５２を嵌め込むことができる切欠部６１１が設けられる。
カバー６は軸座３、枢着座４及び位置決め座５１を覆うことで、組立の質感を高めることができる。
【産業上の利用可能性】
【００１８】
本発明の位置決め棒５２は、弾性部材５３の弾性力を介して位置決め端５２１を位置決め穴３４に挿入させることで、天板２の角度を固定できる。
該開口部３４１の直径は、位置決め穴３４の後端より大きく、並びに位置決め端５２の前端直径が比較的小さい設計は位置決めへの挿入に便利である。
また図５に示すように、本発明は、位置決め棒５２を引っ張って位置決め端５２１を位置決め穴３４から離脱させることができる。
また、ストッパー５２３で弾性部材５３を圧縮し、図５、図６に示す該２つの枢着座４は軸棒４４で２つの軸座３に対応して回転でき、かつ該２つの枢着座４の当り面４５が２つの軸座３の当接面３３と当接支持できるため、二重に支持の安定性の効果を奏する。
天板角度調整後、位置決め棒５２のレバー５２４を手放した時、位置決め棒５２は弾性部材５３の弾性力を介して位置決め端５２１を別の位置決め穴３４に挿入させることで固定でき、好適な天板角度調整の利便性の効果を奏する。
【００１９】
よって、本発明は角度調整に便利で、かつ従来のベッドサイドテーブルに比べてより一層良好な支持の安定性の効果を奏し、ベッド上の身体不自由の方が使用する時の支持の安全性を高めることができる。
また、前記実施例は、あくまでも本発明の技術内容を明らかにするものであって、本発明を限定して解釈するためのものではない。本発明の精神を逸脱することなく行われる均等範囲でのいかなる変更も、本発明の範囲に含まれるものであることは勿論である。
【符号の説明】
【００２０】
１      支持脚
１１    基礎部
１２    支柱
１３    支持具
１３１  第１接合部
１３２  第２接合部
１３３  接合孔
１３４  接合孔
２      天板
２１    第３接合部
２１１  接合孔
２２    第４接合部
２２１  接合孔
３      軸座
３１    嵌合溝
３１１  接合孔
３２    軸穴
３３    当接面
３４    位置決め穴
３４１  開口部
３５    接合部材
４      枢着座
４１    接合孔
４２    嵌合溝
４３    側壁
４３１  軸穴
４４    軸棒
４５    当り面
４６    挿通孔
４７    突起
４７１  接合孔
４８    接合部材
５      位置決め装置
５１    位置決め座
５１１  凹溝
５１２  接合孔
５１３  収容溝
５１４  貫通孔
５１５  貫通孔
５１６  押え縁
５１７  接合部材
５２    位置決め棒
５２１  位置決め端
５２２  把持端
５２３  ストッパー
５２４  レバー
５３    弾性部材
５３１  端部
５３２  端部
６      カバー
６１    周壁
６１１  切欠部
６２    中空部
６３    接合孔
６４    接合部材
【図１】
2019195393.tif 000003
【図２】
2019195393.tif 000004
【図３】
2019195393.tif 000005
【図４】
2019195393.tif 000006
【図５】
2019195393.tif 000007
【図６】
2019195393.tif 000008
【手続補正書】
【提出日】令和1年7月5日(2019.7.5)
【手続補正１】
【補正対象書類名】特許請求の範囲
【補正対象項目名】請求項１
【補正方法】変更
【補正の内容】
【請求項１】
天板角度調整構造を有するベッドサイドテーブルであって、
直立の支柱と、
前記支柱の上方に支持具が横向きに設けられ、前記支持具の上方に間隔をあけて第１接合部及び第２接合部が設けられる支持脚と、
前記支持具の上方に設けられ、下方に間隔をあけて第３接合部及び第４接合部が設けられる天板と、
各々前記支持具の前記第１接合部及び前記第２接合部の位置に構設され、中央に前記支持具の長手方向に対応する軸穴が設けられ、頂縁に円弧形の当接面が設けられる２つの軸座であって、少なくとも１個の当該軸座の異なる位置に複数の位置決め穴が設けられる２つの軸座と、
各々前記天板下方の前記第３接合部及び前記第４接合部と接合され、また中央に前記軸座上方を載嵌できる嵌合溝が設けられ、前記嵌合溝は軸穴が設けられた２つの側壁を備える２つの枢着座であって、軸棒を前記枢着座及び前記軸座の前記軸穴に挿通することで、前記枢着座を前記軸座に対して枢動させることができ、かつ上方に前記軸座の前記当接面に当接できる円弧形の当り面が設けられ、前記枢着座の側壁の前記軸座の少なくとも１個の前記位置決め穴に対応する位置に挿通孔が設けられる２つの枢着座と、
位置決め座と位置決め棒と弾性部材とを備え、前記位置決め座が前記枢着座の側壁の外側に設けられ、また前記枢着座の挿通孔位置に収容溝が対応して設けられ、前記収容溝は前記収容溝を前記位置決め棒の軸方向と同じ向きに貫通する貫通孔を有し、前記位置決め棒が前記位置決め座の前記収容溝及び前記貫通孔、前記枢着座の前記挿通孔及び前記軸座の前記位置決め穴に挿通でき、一端に位置決め端を有し、他端に前記収容溝の外側に突出する把持端を有する位置決め装置と、
前記位置決め棒の前記位置決め端を前記位置決め穴に挿入する時の作動弾性を提供でき、また前記位置決め棒の前記把持端を引っ張ることで前記位置決め端を前記位置決め穴から離脱させることができる弾性部材と、
を含むことを特徴とする、ベッドサイドテーブル。
【手続補正２】
【補正対象書類名】特許請求の範囲
【補正対象項目名】請求項２
【補正方法】変更
【補正の内容】
【請求項２】
前記位置決め座の前記収容溝にある前記貫通孔の前記把持端側の内壁に押え縁が設けられ、前記位置決め棒の前記収容溝に対応する位置にストッパーが設けられ、
前記弾性部材は、引張りばねで、前記位置決め座の前記収容溝の位置に設けられ、前記引張りばねが前記位置決め棒を嵌め込み、両端部が各々前記位置決め座の前記押え縁及び前記位置決め棒のストッパーと当接することを特徴とする、請求項１に記載のベッドサイドテーブル。
【手続補正３】
【補正対象書類名】明細書
【補正対象項目名】０００８
【補正方法】変更
【補正の内容】
【０００８】
本発明は、天板角度調整構造を有するベッドサイドテーブルであって、支持脚と天板と２つの軸座、２つの枢着座と位置決め装置とを含む。
該支持脚が直立支柱を備え、該支柱の上方に支持具が横向きに設けられ、該支持具の上方に間隔をあける第１接合部及び第２接合部が設けられる。
該天板は、支持具の上方に設けられ、下方に間隔をあける第３接合部及び第４接合部が設けられる。
該２つの軸座は、各々支持具の第１接合部及び第２接合部位置に構設され、中央に支持具の長手方向に対応する軸穴が設けられ、頂縁に円弧形当接面が設けられる。
また、少なくとも１個の軸座の異なる位置に複数の位置決め穴が設けられる。
該２つの枢着座は、各々天板下方の第３、４接合部と接合され、また中央に軸座上方を載嵌できる嵌合溝が設けられ、該嵌合溝が２つの側壁を備え、該２つの側壁に軸穴が設けられる。
また、軸棒を枢着座及び軸座の軸穴に挿通することで、枢着座を軸座に対して枢動させることができ、かつ上方に軸座の当接面に当接できる円弧形当り面が設けられる。
枢着座側壁の軸座の少なくとも１個の位置決め穴に対応する位置に挿通孔が設けられる。
該位置決め装置は、位置決め座と位置決め棒と弾性部材とを備え、該位置決め座が枢着座の側壁外側に設けられ、また枢着座の挿通孔位置に収容溝が対応して設けられる。
該収容溝は該収容溝を該位置決め棒の軸方向と同じ向きに貫通する貫通孔を有し、該位置決め棒が位置決め座の収容溝及び貫通孔、枢着座の挿通孔及び軸座の位置決め穴に挿通でき、一端に位置決め端を有し、他端に収容溝の外側に突出する把持端を有する。
該弾性部材は、位置決め棒の位置決め端を位置決め穴に挿入する時の作動弾性を提供でき、また位置決め棒の把持端を引っ張ることで位置決め端を位置決め穴から離脱させることができる。
【手続補正４】
【補正対象書類名】明細書
【補正対象項目名】０００９
【補正方法】変更
【補正の内容】
【０００９】
更に、該位置決め座の収容溝にある貫通孔の該把持端側の内壁に押え縁が設けられ、該位置決め棒の収容溝に対応する位置にストッパーが設けられる。
該弾性部材は、引張りばねで、位置決め座の収容溝位置に設けられ、引張りばねが位置決め棒を嵌め込み、両端部が各々位置決め座の押え縁及び位置決め棒のストッパーと当接する。
【手続補正５】
【補正対象書類名】明細書
【補正対象項目名】００１２
【補正方法】変更
【補正の内容】
【００１２】
以下、「中央スプリングコイル」は「引張りばね」と読み替える。
図１乃至図４を参照する。本発明は、支持脚１と天板２と２つの軸座３と２つの枢着座４と位置決め装置５とカバー６とを含む。
該支持脚１の下方に、床面に配置される基礎部１１を有し、該基礎部１１の上方に直立の支柱１２を有する。
支柱１２の上方に支持具１３が横向きに設けられ、該支持具１３の両端の上方に第１、２接合部１３１、１３２が設けられ、該第１、２接合部１３１、１３２に接合孔１３３、１３４を有する。
【手続補正６】
【補正対象書類名】明細書
【補正対象項目名】００１４
【補正方法】変更
【補正の内容】
【００１４】
２つの軸座３は、各々支持具１３の第１、２接合部１３１、１３２の位置に設けられ、下方に支持具１３の上縁部を嵌め合うことができる嵌合溝３１を有し、また接合孔３１１が設けられて接合部材３５で支持具１３と固結する。
該軸座３の中央に支持具１３の長手方向に対応する軸穴３２が設けられ、頂縁に円弧形の当接面３３が設けられ、また上方の異なる位置に３個の位置決め穴３４が設けられ、該位置決め穴３４の前端に直径が後端より大きい開口部３４１を有する。
【手続補正７】
【補正対象書類名】明細書
【補正対象項目名】００１６
【補正方法】変更
【補正の内容】
【００１６】
位置決め装置５は、位置決め座５１と位置決め棒５２と弾性部材５３とを備える。
該位置決め座５１の一側の枢着座４の側壁４３の突起４７に対応する位置に複数の凹溝５１１が設けられ、凹溝５１１に接合孔５１２が設けられると共に位置決め座５１が枢着座４の側壁４３の外側に設けられ、凹溝５１１と突起４７が接合される。
更に接合部材５１７が凹溝５１１と突起４７の接合孔５１２、４７１に挿通して固結され、また位置決め座５１の枢着座４の挿通孔４６に対応する位置に収容溝５１３が設けられる。
該収容溝５１３に貫通孔５１４、５１５を有し、貫通孔の把持端側（貫通孔５１５）の内壁に押え縁５１６が設けられる。
該位置決め棒５２は、位置決め座５１の収容溝５１３、枢着座４の挿通孔４６及び軸座３の位置決め穴３４に挿通される。一端に前端の直径が後端より小さく、位置決め穴３４に挿通できる位置決め端５２１を有し、他端に収容溝５１３外側に突出する把持端５２２を有し、該把持端５２２がレバー５２４に接合され、収容溝５１３に対応する位置にストッパー５２３が設けられる。
該弾性部材５３は、位置決め棒５２の位置決め端５２１が位置決め穴３４に挿入される時の作動弾性を提供できる。
また該弾性部材５３は引張りばねであり、位置決め座５１の収容溝５１３の位置に設けられ、中央スプリングコイルが位置決め棒５２を嵌め込むと共に両端部５３１、５３２が各々位置決め座５１の押え縁５１６及び位置決め棒５２のストッパー５２３と当接し、位置決め棒５２の作動弾性を提供できる。